【手続補正書】
【提出日】平成29年4月5日(2017.4.5)
【手続補正１】
【補正対象書類名】明細書
【補正対象項目名】００３１
【補正方法】変更
【補正の内容】
【００３１】
【図１】図１は、印字の際の紙送り方向の振動量と印字された画像とを示す図である。
【図２】図２は、振動の有無による用紙上のインクの配置のずれを説明するための図である。
【図３】図３は、振動の有無におけるハーフトーンのパターンの変化を示す図である。
【図４】図４は、モジュール間つなぎ部の用紙上のインクの配置を示す図である。
【図５】図５は、モジュール間つなぎムラを示す図である。
【図６】図６は、近傍ドットの相互作用によって生じる濃度変動を説明するための図である。
【図７】図７は、対象画素と隣接画素及び次隣接画素との位置関係を示した図である。
【図８】図８は、ラスター間でインク着弾位置ズレが発生した場合の近傍領域の画素の位置関係の変化を示す図である。
【図９】図９は、２つの画素の１０種類の配置パターンを示す図である。
【図１０】図１０は、ハーフトーンパターンの最適化方法の処理を示すフローチャートである。
【図１１】図１１は、２つの画素の１０種類の配置の組み合わせを示す図である。
【図１２】図１２は、誤差拡散係数の最適化方法の処理を示すフローチャートである。
【図１３】図１３は、２次元プリントヘッド１０と２次元プリント１０により形成されるラスターの配置を示す図である。
【図１４】図１４は、誤差拡散係数生成装置のブロック図である。
【図１５】図１５は、誤差拡散法を用いる画像処理装置のブロック図である。
【図１６】図１６は、誤差拡散マトリクスの一例を示す図である。
【図１７】図１７は、閾値マトリクスの最適化方法の処理を示すフローチャートである。
【図１８】図１８は、仮パターンの作成処理を示すフローチャートである。
【図１９】図１９は、閾値マトリクス生成装置のブロック図である。
【図２０】図２０は、閾値マトリクスを用いる画像処理装置のブロック図である。
【図２１】図２１は、誤差拡散法と閾値マトリクスとを併用した量子化処理を示すフローチャートである。
【図２２】図２２は、誤差拡散法と閾値マトリクスとを併用する画像処理装置のブロック図である。
【図２３】図２３は、マルチスキャン方式のプリントヘッド３０と用紙上に形成されるラスターの配置を示す図である。
【図２４】図２４は、２次元プリントヘッド４０と用紙上に形成されるラスターの配置を示す図である。
【図２５】図２５は、２次元プリントヘッド５０と用紙上に形成されるラスターの配置を示す図である。
【図２６】図２６は、インクジェット記録装置２００の側面模式図である。
【図２７】図２７は、１つのノズル２２６に対応した記録素子の断面図である。
【図２８】図２８は、インクジェット記録装置２００の要部構成を示すブロック図である。
【図２９】図２９は、インクジェット記録装置２００Ａの要部構成を示すブロック図である。
【手続補正２】
【補正対象書類名】明細書
【補正対象項目名】００４２
【補正方法】変更
【補正の内容】
【００４２】
図５に、複数のヘッドモジュールを紙送り方向に交互にずらして紙送り垂直方向に並べて配置されたシングルパス方式のプリントヘッド３２０において、各ヘッドモジュールを正常な位置から紙送り方向に相対的にずらして配置した場合（ヘッドモジュール間つなぎズレを有する場合）の用紙上に印字される画像（印字画像）を示す。紙送り方向にヘッドモジュールを相対的にずらして配置すると、つなぎ目領域において紙送り方向上流側のヘッドモジュールのノズルから打滴するインクと紙送り方向下流側のヘッドモジュールのノズルから打滴するインクとの用紙上の着弾に時間差が生じ、用紙上に配置されたインクには紙送り方向の位置にズレ（着弾位置ズレ）が生じる（図３（ｂ）参照）。一方、つなぎ目領域以外の領域においては、そのようなズレが生じない（図３（ａ）参照）。その結果、印字される画像のつなぎ目領域において印字される部分が、紙送り方向に沿って延びる帯状のモジュール間つなぎムラとなる。
【手続補正３】
【補正対象書類名】明細書
【補正対象項目名】０１６３
【補正方法】変更
【補正の内容】
【０１６３】
量子化処理部１８２は、演算部１３６から得られる値と、量子化判定用の閾値とを比較し、さらに基本パターンの制約条件を満たすように画素値を量子化する量子化判定部１４２Ａと、閾値マトリクス格納部１７４に格納されている閾値マトリクスを参照して入力画像の量子化を行うディザ処理部１７６Ａとを備えている。
【手続補正４】
【補正対象書類名】明細書
【補正対象項目名】０１８１
【補正方法】変更
【補正の内容】
【０１８１】
また、紙送り垂直方向に並ぶ画素列について着目すると、第１のタイミングで最も上流側のノズル列５２ａのノズル５２からインクが打滴される画素と、第１のタイミングとは異なる第２のタイミングでノズル列５２ａの次に上流側のノズル列５２ｂのノズル５２からインクが打滴される画素と、第１のタイミング及び第２のタイミングとは異なる第３のタイミングでノズル列５２ｂの次に上流側のノズル列５２ｃのノズル５２からインクが打滴される画素と、第１のタイミング、第２のタイミング及び第３のタイミングとは異なる第４のタイミングで最も下流側のノズル列５２ｄのノズル５２からインクが打滴される画素とが、１画素ずつ周期的に配置されている。すなわち、紙送り垂直方向に沿う画素列の各画素はノズル列５２ａ、５２ｂ、５２ｃ、及び５２ｄ毎の４つの異なるタイミング（記録素子列毎に異なるタイミングの一例）で印字される。図２５では、紙送り垂直方向に並ぶ画素列において第１のタイミング〜第４のタイミングでインクが打滴される画素を、それぞれ異なる濃度で表現している。
【手続補正５】
【補正対象書類名】明細書
【補正対象項目名】０２０５
【補正方法】変更
【補正の内容】
【０２０５】
＜インクジェット記録装置の電気的構成の他の態様＞
図２９は、マルチスキャン方式のインクジェット記録装置２００Ａの要部構成を示すブロック図である。図２８に示すインクジェット記録装置２００と共通する部分には同一の符号を付し、その詳細な説明は省略する。
【手続補正６】
【補正対象書類名】明細書
【補正対象項目名】０２０６
【補正方法】変更
【補正の内容】
【０２０６】
インクジェット記録装置２００Ａは、図２３を用いて説明したマルチスキャン方式で画像を記録するプリンタであり、ヘッド走査部２７４、ヘッド走査制御部２７６、及びプリントヘッド３０を備えている。
【手続補正７】
【補正対象書類名】明細書
【補正対象項目名】０２０７
【補正方法】変更
【補正の内容】
【０２０７】
ヘッド走査部２７４（ヘッド走査手段の一例）は、図１３に示すヘッド走査方向についてプリントヘッド３０を往復移動（往復走査の一例）させる。システム制御部２５６は、ヘッド走査制御部２７６を介してヘッド走査部２７４を制御する。ここでは、用紙搬送部２７０、用紙搬送制御部２７２、ヘッド走査部２７４、及びヘッド走査制御部２７６が「移動手段」に相当する。
【手続補正８】
【補正対象書類名】明細書
【補正対象項目名】０２０８
【補正方法】変更
【補正の内容】
【０２０８】
プリントヘッド３０のノズル面（不図示）には、複数のノズル（不図示）が配置されている。この複数のノズルを紙送り方向に沿って並ぶように投影（正投射）した投影ノズル列は、投影ノズルがＭ画素間隔（Ｍは自然数）で配置される。すなわち、紙送り方向に沿って実質的にＭ画素間隔でノズルが配置される。
【手続補正９】
【補正対象書類名】明細書
【補正対象項目名】０２０９
【補正方法】変更
【補正の内容】
【０２０９】
システム制御部２５６は、用紙搬送制御部２７２及びヘッド走査制御部２７６を介して用紙搬送部２７０及びヘッド走査部２７４を制御し、プリントヘッド３０をヘッド走査方向に１回走査するたび（走査毎）に用紙１（図２９において不図示）を所定量搬送し、記録ヘッドをＭ回走査することで画像の所定の領域の印字を完成させる。
【手続補正１０】
【補正対象書類名】図面
【補正対象項目名】図１２
【補正方法】変更
【補正の内容】
【図１２】
2016185672.tif 000001
【手続補正１１】
【補正対象書類名】図面
【補正対象項目名】図２９
【補正方法】変更
【補正の内容】
【図２９】
2016185672.tif 000002